(57)【特許請求の範囲】
【請求項１】
板状部材差込み部と各々が第１の方向に伸びるものとされて上記第１の方向に直交する第２の方向に配列形成された複数の溝部とが設けられたハウジングと、
上記複数の溝部に夫々係合して配され、上記板状部材差込み部を通じて上記ハウジングに上記第１の方向に沿って差し込まれた配線板状部材における複数の接触端子部に夫々対応することになる位置をとる複数のコンタクトと、
を備えて構成され、
上記ハウジングにおける各々が上記複数の溝部のうちの相互隣接する二つに挟まれたものとされる複数の隔壁部のうちの一つ置きのものに該隔壁部を上記第２の方向に貫通する貫通孔が形成され、
上記複数のコンタクトの夫々に上記第２の方向に突出する突出部が設けられて、上記複数のコンタクトのうちの相互隣接する二つが各々における上記突出部を相互に逆向きに突出させる状態をもって配され、
上記複数のコンタクトのうちの相互隣接する二つにおける相互に逆向きに突出するものとされた一対の上記突出部が、上記ハウジングにおける上記複数の隔壁部のうちの一つ置きのものに形成された貫通孔を挟んで相互対向せしめられて該貫通孔に押圧係合することを特徴とするコネクタ装置。
【請求項２】
上記ハウジングに、上記第１の方向及び上記第２の方向の夫々に直交する第３の方向に伸びるものとされて上記ハウジングの外部に通じ、その一部が上記複数の隔壁部のうちの一つ置きのものに形成される貫通孔を形成する透孔が形成されたことを特徴とする請求項１記載のコネクタ装置。
【請求項３】
上記複数のコンタクトの夫々が、上記ハウジングに設けられた複数の溝部の対応するものに配されて固定される固定ビーム部と該固定ビーム部に連結部によって連結されて揺動可能とされた可動ビーム部とを有し、上記可動ビーム部に上記配線板状部材における複数の接触端子部のうちの対応するものに押圧接触する接触部が設けられ、上記固定ビーム部に上記ハウジングからその外部に導出される接続端子部と上記突出部とが設けられたことを特徴とする請求項１記載のコネクタ装置。
【請求項４】
上記固定ビーム部に設けられた上記突出部が、該固定ビーム部における上記連結部と上記接続端子部との間にあって上記連結部までの距離が上記接続端子部までの距離より小となる位置をとるものとされたことを特徴とする請求項３記載のコネクタ装置。
【請求項５】
上記複数のコンタクトが、上記接触部の上記第１の方向における位置を異ならせて交互に配列配置された複数の第１のコンタクトと複数の第２のコンタクトとを含み、上記複数の第１のコンタクトの夫々に設けられた上記突出部と上記複数の第２のコンタクトの夫々に設けられた上記突出部とが相互に逆向きに突出するものとされたことを特徴とする請求項３記載のコネクタ装置。
【請求項６】
上記複数の第１のコンタクトの夫々と上記複数の第２のコンタクトの夫々とが、上記ハウジングに設けられた複数の溝部の対応するものに係合して配されるべく上記ハウジングに互いに逆向きに圧入されたことを特徴とする請求項５記載のコネクタ装置。
【請求項７】
上記ハウジングに対して回動可能に設けられて第１の静止位置と第２の静止位置とを選択的にとり、上記複数のコンタクトに係合して、上記配線板状部材が上記板状部材差込み部を通じて上記ハウジング内に差し込まれたもとで、上記第１の静止位置から上記第２の静止位置に移行せしめられるとき、上記複数のコンタクトの夫々における接触部に上記配線板状部材における複数の接触端子部のうちの対応するものに対する押圧接触状態をとらせ、上記第２の静止位置から上記第１の静止位置に移行せしめられるとき、上記複数のコンタクトの夫々における接触部を上記複数の接触端子部のうちの対応するものに対する押圧接触状態から解放するアクチュエータを備えたことを特徴とする請求項３記載のコネクタ装置。
【発明の詳細な説明】
【技術分野】
【０００１】
本願の特許請求の範囲に記載された発明は、フレキシブル印刷配線基板（ＦＰＣ）や平板状ケーブル（ＦＦＣ）等の配線板状部材に設けられた接触端子部を、固体印刷配線基板等とされる配線基板に電気的に接続された状態とするため、当該配線基板に連結されたもとで配線板状部材における接触端子部に押圧接触する複数のコンタクトとそれらが配列配置されたハウジングとを備え、配線基板に装着されて使用されるコネクタ装置に関する。
【背景技術】
【０００２】
各種の電子機器に実装される比較的小型なフレキシブル印刷配線基板や平板状ケーブル等の配線板状部材は、各種の電気部品が取り付けられる配線基板への取付けが、当該配線基板に電気的接続がなされて装着されたコネクタ装置が用いられて行われることが多いものとされる。このような配線板状部材の配線基板への取付けにあたって用いられるコネクタ装置は、配線板状部材に設けられた接触端子部に接触接続される導電性のコンタクトを有していて、そのコンタクトを介して、配線板状部材に設けられた接触端子部を配線基板に設けられた配線部に電気的に連結する。
【０００３】
従来提案されている、例えば、フレキシブル印刷配線基板とされる配線板状部材の配線基板への取付けに用いられるコネクタ装置は、配線板状部材が差し込まれる差込み部が設けられたものとされて配線基板に配される、絶縁材料によって形成されたハウジングを有したものとされる。そして、多くの場合、斯かるハウジングに配列配置されて設けられ、配線板状部材が差込み部を通じてハウジングに差し込まれるとき、その配線板状部材に設けられた複数の接触端子部に夫々対応するものとなる複数のコンタクトと、ハウジングに対して回動可能に設けられ、複数のコンタクトの夫々に係合して、回動せしめられるとき複数のコンタクトの夫々における作動部を変位させ、それにより複数のコンタクトを複数の接触端子部に夫々押圧接触させるアクチュエータとが備えられている。
【０００４】
このようなコネクタ装置にあっては、アクチュエータは、例えば、全体が複数のコンタクトの配列方向に沿って伸びる細長形状をとり、カム部と操作部とが設けられていて、カム部において複数のコンタクトの夫々と係合し、操作部が操作されることにより、ハウジングに対して回動せしめられる。
【０００５】
複数のコンタクトの各々は、導電性の弾性材料で形成され、ハウジングに固定される部分である固定部と連結部により固定部に連結されて変位可能とされた部分である可動部とを有するものされる。そして、固定部は、ハウジングが配された配線基板における印刷配線部等の配線部に電気的に接続され、また、可動部は、配線板状部材に設けられた接触端子部に押圧接触する接触部が設けられたもとで、アクチュエータのカム部によって変位せしめられる。
【０００６】
そして、配線基板に配されたハウジングに差込み部を通じて配線板状部材が差し込まれたもとで、アクチュエータが所定の方向に回動せしめられると、アクチュエータが、複数のコンタクトの夫々における可動部を変位させて、当該可動部の接触部に配線板状部材に設けられた複数の接触端子部のうちの対応するものに対する押圧接触状態をとらせる。また、複数のコンタクトの各々における可動部の接触部が配線板状部材に設けられた複数の接触端子部のうちの対応するもの押圧接触する状態をとるもとで、アクチュエータが上述の所定の方向とは逆の方向に回動せしめられると、アクチュエータが、複数のコンタクトの夫々における可動部を変位させて、当該可動部の接触部を配線板状部材に設けられた複数の接触端子部のうちの対応するものに対する押圧接触状態から解放する。
【０００７】
このようなもとで、複数のコンタクトの夫々についての配線板状部材における接触端子部に対する押圧接触は確実かつ安定に行われることが求められるが、そのためには、複数のコンタクトの各々がハウジングに堅固に係止されていることが必要とされる。取り分け、コネクタ装置の小型化に伴ってハウジングが小型なものとされたもとで、ハウジングに配列配置される複数のコンタクトのピッチが極めて小とされる狭コンタクトピッチ化が図られたもとにあっては、複数のコンタクトの各々についてのハウジングに対する堅固な係止が極めて重要な事柄とされるが、格別な狭コンタクトピッチ化が図られていないコネクタ装置においても、複数のコンタクトの各々がハウジングに対して堅固に係止されることが要求される。
【０００８】
そのため、従来におけるコネクタ装置にあっては、ハウジングに配列配置される複数のコンタクトの各々をハウジングに対して堅固に係止することを意図したものが提案されている。（例えば、特許文献１参照）。
【０００９】
特許文献１に示されるコネクタ装置（コネクタ(10)) においては、そのハウジング（ベース(11)) に複数の上方溝部(16)が配列形成されるとともに複数の下方溝部(17)が配列形成されていて、複数の上方溝部(16)のうちの一つとそれに対応する複数の下方溝部(17)の一つとが、相互対向する溝部の対を成すものとされている。そして、複数の上方溝部(16)と複数の下方溝部(17)とが形成する複数の相互対向溝部の対に、複数のコンタクト（接続端子(30)) が夫々挿入されている。
【００１０】
複数の相互対向溝部の対の各々に挿入されたコンタクトには、下方溝部(17)内に位置する部分に、下方溝部(17)が伸びる方向に直交する方向に突出する屈曲部(36)が形成されている。屈曲部(36)は、その突出面を下方溝部(17)を形成する一対の相互対向壁面（内側面）のうちの一方に圧接させるとともに、それに設けられた係止用突起(36a) を下方溝部(17)上に迫り出したハウジングにおける迫り出し部(17c) の天井面に係合させ、さらに、それに設けられた圧接用突起(36b) を下方溝部(17)の底部に圧接させている。このようにして、突出面を下方溝部(17)を形成する一対の相互対向壁面（内側面）のうちの一方に圧接させた屈曲部(36)を有して上方溝部(16)と下方溝部(17)とが形成する相互対向溝部の対に挿入されたコンタクトは、相互対向溝部の対から抜け難いものとされた状態をもってハウジングに係止されていることになる。それにより、ハウジングに配列配置される複数のコンタクトの各々がハウジングに対して堅固に係止されることが期待される。
【先行技術文献】
【特許文献】
【００１１】
【特許文献１】特開２００８−２３４８８４号公報
【発明の概要】
【発明が解決しようとする課題】
【００１２】
上述のように、上方溝部(16)と下方溝部(17)とが形成する相互対向溝部の対に挿入されるコンタクトを、それに形成されて突出面を下方溝部(17)を形成する一対の相互対向壁面（内側面）のうちの一方に圧接させる屈曲部(36)によって、相互対向溝部の対から抜け難いものとされた状態をもってハウジングに係止する従来のコネクタ装置は、ハウジングに配列配置される複数のコンタクトのピッチが極めて小とされる狭コンタクトピッチ化を図ることが困難とされるという不都合を伴っている。斯かる不都合の理由は以下のとおりである。
【００１３】
前述の従来のコネクタ装置（コネクタ(10)) にあっては、ハウジング（ベース(11)) に配列形成された複数の下方溝部(17)の夫々を形成する一対の相互対向壁面（内側面）の各々は、相互隣接する２個の下方溝部(17)間の隔壁部の外側面である。従って、コンタクト（接続端子(30)) に形成されて、下方溝部(17)を形成する一対の相互対向壁面（内側面）のうちの一方に突出面を圧接させる屈曲部(36)は、相互隣接する２個の下方溝部(17)間の隔壁部の外側面に突出面を圧接させることになり、当該外側面に一方向の押圧力を作用させる。斯かる押圧力は、当該コンタクトをハウジングに対して堅固に係止されるものとすべく、比較的大なるものとされる（そうでなければ、屈曲部(36)の突出面を下方溝部(17)を形成する一対の相互対向壁面（内側面）のうちの一方、即ち、相互隣接する２個の下方溝部(17)間の隔壁部の外側面に圧接させる意味がない。）。
【００１４】
このようなもとで、斯かる従来のコネクタ装置が狭コンタクトピッチ化が図られたものとされる場合には、ハウジングに配列配置される複数のコンタクトのピッチが極めて小とされることに伴って、ハウジングに配列形成された複数の下方溝部(17)のピッチも極めて小とされ、それにより、相互隣接する２個の下方溝部(17)間の隔壁部の厚みが極めて小とされる。このようにして厚みが極めて小とされる隔壁部は、剛性が低下した変形し易いものとされ、その外側面にコンタクトに形成された屈曲部(36)による一方向の押圧力が加えられるとき、容易に変形を生じることになる。そして、配列形成された複数の下方溝部(17)のうちの隣接する２個の間の隔壁部の変形は、ハウジングに不所望な全体的な反りや部分的な変形をもたらす。それゆえ、前述の従来のコネクタ装置は、狭コンタクトピッチ化を図ることが困難とされることになる。
【００１５】
斯かる点に鑑み、本願の特許請求の範囲に記載された発明は、例えば、フレキシブル印刷配線基板等とされる配線板状部材を受け入れる板状部材差込み部が設けられたハウジングと、ハウジングに配列形成された複数の溝部に夫々配されて配列配置され、板状部材差込み部を通じてハウジングに差し込まれた配線板状部材における複数の接触端子部に夫々対応することになる位置をとる複数のコンタクトと、を備えたコネクタ装置であって、狭コンタクトピッチ化が図られたもとにおいても、比較的簡単な構成をもって、ハウジングに不所望な全体的な反りや部分的な変形をもたらすことなく、複数のコンタクトの各々をハウジングに対して堅固に係止されたものとすることができるものを提供する。
【課題を解決するための手段】
【００１６】
本願の特許請求の範囲における請求項１から請求項７までのいずれかに記載された発明（以下、本願発明という。）に係るコネクタ装置は、板状部材差込み部と各々が第１の方向に伸びるものとされて第１の方向に直交する第２の方向に配列形成された複数の溝部とが設けられたハウジングと、複数の溝部に夫々係合して配され、板状部材差込み部を通じてハウジングに第１の方向に沿って差し込まれた配線板状部材における複数の接触端子部に夫々対応することになる位置をとる複数のコンタクトと、を備えて構成され、ハウジングにおける各々が複数の溝部のうちの相互隣接する二つに挟まれたものとされる複数の隔壁部のうちの一つ置きのものに当該隔壁部を第２の方向に貫通する貫通孔が形成され、複数のコンタクトの夫々に第２の方向に突出する突出部が設けられて、複数のコンタクトのうちの相互隣接する二つが各々における突出部を相互に逆向きに突出させる状態をもって配され、複数のコンタクトのうちの相互隣接する二つにおける相互に逆向きに突出するものとされた一対の突出部が、ハウジングにおける複数の隔壁部のうちの一つ置きのものに形成された貫通孔を挟んで相互対向せしめられて当該貫通孔に押圧係合することを特徴とするものとされる。
【００１７】
斯かる本願発明に係るコネクタ装置の一例においては、ハウジングに、第１の方向及び第２の方向の夫々に直交する第３の方向に伸びるものとされて、複数の隔壁部のうちの一つ置きのものに形成された貫通孔をハウジングの外部に通じさせる透孔が形成される。
【００１８】
上述のように構成される本願発明に係るコネクタ装置にあっては、例えば、フレキシブル印刷配線基板等とされる配線板状部材が板状部材差込み部を通じてハウジングに第１の方向に沿って差し込まれると、複数のコンタクトが配線板状部材における複数の接触端子部に夫々押圧接触される状態がとられる。斯かるもとで、複数のコンタクトは、ハウジングに配列形成された複数の溝部に夫々係合したものとされており、それにより、複数の溝部の配列方向である第２の方向に沿って配列配置されている。このようなもとで、複数のコンタクトにあっては、それらのうちの相互隣接する二つが各々に設けられた突出部を相互に逆向きに突出させる状態をもって配されており、また、ハウジングにおける各々が複数の溝部のうちの相互隣接する二つに挟まれたものとされる複数の隔壁部のうちの一つ置きのものに当該隔壁部を第２の方向に貫通する貫通孔が形成されている。そして、複数のコンタクトのうちの相互隣接する二つにおける相互に逆向きに突出するものとされた一対の突出部が、ハウジングにおける複数の隔壁部のうちの一つ置きのものに形成された貫通孔を挟んで相互対向せしめられて当該貫通孔に押圧係合するものとされる。
【００１９】
このようにして、複数のコンタクトのうちの相互隣接する二つにおける相互に逆向きに突出するものとされた一対の突出部が、ハウジングにおける複数の隔壁部のうちの一つ置きのものに形成された貫通孔を挟んで相互対向せしめられて当該貫通孔に押圧係合することにより、複数のコンタクトの夫々が複数の溝部及び複数の隔壁部が設けられたハウジングに堅固に係止される。その際、複数の隔壁部のうちの一つ置きのものに形成された貫通孔を挟んで相互対向せしめられた、複数のコンタクトのうちの相互隣接する二つにおける相互に逆向きに突出するものとされた一対の突出部は、複数の隔壁部のうちの一つ置きのものにおける貫通孔が形成された部分の一対の相互対向外壁面に、それを挟んで互いに逆方向の二つの押圧力を夫々作用させる。斯かる互いに逆方向の二つの押圧力は、隔壁部に対しては互いに相殺されることになり、従って、隔壁部がコンタクトに設けられた突出部から受ける押圧力によって不所望な変形等を生じる事態は生じない。
【００２０】
また、本願発明に係るコネクタ装置の一例においては、ハウジングに、第１の方向及び第２の方向の夫々に直交する第３の方向に伸びるものとされて、複数の隔壁部のうちの一つ置きのものに形成された貫通孔をハウジングの外部に通じさせる透孔が形成される。斯かる透孔は、ハウジングにその外部から形成することができて、その一部が複数の隔壁部のうちの一つ置きのものに形成された貫通孔を成すものとなり、それによって、複数の隔壁部のうちの一つ置きのものにハウジングの外部から貫通孔を形成することができることになる。
【発明の効果】
【００２１】
本願発明に係るコネクタ装置においては、上述のように、複数のコンタクトがハウジングに配列形成された複数の溝部に夫々係合したものとされて配列配置されたもとで、複数のコンタクトのうちの相互隣接する二つが各々に設けられた突出部を相互に逆向きに突出させる状態をもって配されていて、複数のコンタクトのうちの相互隣接する二つにおける相互に逆向きに突出するものとされた一対の突出部が、ハウジングにおける各々が複数の溝部のうちの相互隣接する二つに挟まれたものとされる複数の隔壁部のうちの一つ置きのものに形成された貫通孔を挟んで相互対向せしめられて、当該貫通孔に押圧係合するものとされ、それにより、複数のコンタクトの夫々が複数の溝部及び複数の隔壁部が設けられたハウジングに堅固に係止される。
【００２２】
その際、複数のコンタクトのうちの相互隣接する二つにおける相互に逆向きに突出するものとされた一対の突出部が、複数の隔壁部のうちの一つ置きのものにおける貫通孔が形成された部分の一対の相互対向外面に、それを挟んで互いに逆方向の二つの押圧力を夫々作用させるが、斯かる互いに逆方向の二つの押圧力は、隔壁部に対しては互いに相殺されることになるので、隔壁部がコンタクトに設けられた突出部から受ける押圧力によって不所望な変形等を生じることはない。斯かる状況は、本願発明に係るコネクタ装置において、ハウジングに配列形成された複数の溝部に夫々係合したものとされて配列配置される複数のコンタクトについての狭コンタクトピッチ化が図られ、それに伴って、ハウジングに配列形成された複数の溝部のピッチも極めて小とされて、各々が複数の溝部のうちの相互隣接する二つに挟まれたものとされる複数の隔壁部の夫々が、その厚みが極めて小とされて、剛性が低下した変形し易いものとされるもとにあっても変わらない。
【００２３】
その結果、本願発明に係るコネクタ装置によれば、ハウジングに配列形成された複数の溝部に夫々係合したものとされて配列配置される複数のコンタクトについての狭コンタクトピッチ化が図られたもとにおいても、比較的簡単な構成をもって、ハウジングに不所望な全体的な反りや部分的な変形をもたらすことなく、複数のコンタクトの各々をハウジングに対して堅固に係止されたものとすることができることになる。
【図面の簡単な説明】
【００２４】
【図１】本願発明に係るコネクタ装置の一例を、それに備えられたアクチュエータが第１の静止位置におかれた状態をもって示す平面図である。
【図２】本願発明に係るコネクタ装置の一例を、それに備えられたアクチュエータが第１の静止位置におかれた状態をもって示す正面図である。
【図３】図２における矩形枠Ａ内を拡大して示す部分拡大図である。
【図４】本願発明に係るコネクタ装置の一例を示す底面図である。
【図５】図４における矩形枠Ｂ内を拡大して示す部分拡大図である。
【図６】本願発明に係るコネクタ装置の一例を、それに備えられたアクチュエータが第１の静止位置におかれた状態をもって示す背面図である。
【図７】図６における矩形枠Ｃ内を拡大して示す部分拡大図である。
【図８】本願発明に係るコネクタ装置の一例に備えられる第１のコンタクトを示す斜視図である。
【図９】本願発明に係るコネクタ装置の一例に備えられる第２のコンタクトを示す斜視図である。
【図１０】図２における X−X 線断面を示す断面図である。
【図１１】図２におけるXI−XI線断面を示す断面図である。
【図１２】本願発明に係るコネクタ装置の一例における図２における X−X 線断面を含んだ部分を示す部分斜視図である。
【図１３】本願発明に係るコネクタ装置の一例における図２におけるXI−XI線断面を含んだ部分を示す部分斜視図である。
【図１４】図２における XIV−XIV 線に沿った断面に現れるハウジングのみを部分的に示す部分断面図である。
【図１５】図２における XIV−XIV 線に沿った断面を部分的に示す部分断面図である。
【図１６】図１５における円形枠Ｄ内を拡大して示す部分拡大図である。
【図１７】本願発明に係るコネクタ装置の一例に、それに装着されるフレキシブル印刷配線基板が対向せしめられた状態を示す斜視図である。
【図１８】図１７における矩形枠Ｅ内を拡大して示す部分拡大図である。
【図１９】本願発明に係るコネクタ装置の一例にフレキシブル印刷配線基板が装着されて本願発明に係るコネクタ装置の一例に備えられたアクチュエータが第２の静止位置におかれた状態を示す斜視図である。
【図２０】図１９における矩形枠Ｆ内を拡大して示す部分拡大図である。
【図２１】本願発明に係るコネクタ装置の一例にフレキシブル印刷配線基板が装着されて本願発明に係るコネクタ装置の一例に備えられたアクチュエータが第２の静止位置におかれた状態を示す正面図である。
【図２２】図２１における矩形枠Ｇ内を拡大して示す部分拡大図である。
【図２３】図２１における XXIII−XXIII 線断面を示す断面図である。
【図２４】図２1 におけるXXIV−XXIV線断面を示す断面図である。
【発明を実施するための形態】
【００２５】
本願発明を実施するための形態は、以下に述べられる本願発明についての実施例をもって説明される。
【実施例】
【００２６】
図１から図７は、本願発明に係るコネクタ装置の一例を特定の状態におかれたものとして示す。
【００２７】
図１〜図７において、本願発明に係るコネクタ装置の一例を成すコネクタ装置１０は、合成樹脂等の絶縁材料によって形成され、電子機器等の配線基板に配されるハウジング１１を備えている。ハウジング１１には、その正面側端縁部に、例えば、フレキシブル印刷配線基板とされる配線板状部材が差し込まれる状態がとられる板状部材差込み部１２が設けられており、板状部材差込み部１２からハウジング１１の内部へと板状部材収容部１３（後述される図１０及び図１１に示されている。）が拡がっている。即ち、ハウジング１１には、その内部に、板状部材収容部１３が板状部材差込み部１２に連結されたものとして設けられていて、板状部材差込み部１２を通じて差し込まれた配線板状部材の一部が板状部材収容部１３に収容されるのである。そして、ハウジング１１は、図１において矢印Ｌにより示される方向を長手方向とするものとされている。
【００２８】
また、ハウジング１１には、各々がハウジング１１の長手方向に直交する、ハウジング１１の正面側端縁部からそれに対向する背面側端縁部に向かう方向（第１の方向）に伸びるものとされた複数の第１の溝部１４が、ハウジング１１の長手方向（第１の方向に直交する第２の方向）に沿って配列形成されているとともに、各々が第１の溝部１４と同方向に伸びるものとされた複数の第２の溝部１５が、ハウジング１１の長手方向に沿って配列形成されている（複数の第１の溝部１４及び複数の第２の溝部１５は、後述される図１２及び図１３に明瞭に示されている。）。複数の第１の溝部１４の各々と複数の第２の溝部１５の各々とは、両者間に所定の空間をおいて相互対向する溝部の対を成すものとされている。それにより、複数の第１の溝部１４と複数の第２の溝部１５とは、複数の相互対向溝部の対を形成している。
【００２９】
ハウジング１１の長手方向に沿って配列形成された複数の第１の溝部１４のうちの相互隣接する二つは、第１の隔壁部１６を挟んでいる。従って、ハウジング１１においては、複数の第１の隔壁部１６がハウジング１１の長手方向に沿って配列形成されていることになり、複数の第１の隔壁部１６の夫々における一対の相互対向外壁面が、当該第１の隔壁部１６を挟む二つの第１の溝部１４の各々の一部を形成している。また、ハウジング１１の長手方向に沿って配列形成された複数の第２の溝部１５のうちの相互隣接する二つは、第２の隔壁部１７を挟んでいる。従って、ハウジング１１においては、複数の第２の隔壁部１７がハウジング１１の長手方向に沿って配列形成されていることになり、複数の第２の隔壁部１７の夫々における一対の相互対向外壁面が、当該第２の隔壁部１７を挟む二つの第２の溝部１５の各々の一部を形成している。複数の第１の隔壁部１６の各々と複数の第２の隔壁部１７の各々とは、両者間に所定の空間をおいて相互対向するものとされている。
【００３０】
斯かるもとで、複数の第１の溝部１４と複数の第２の溝部１５とが形成する複数の相互対向溝部の対には、各々が弾性導電材料で形成された複数の第１のコンタクト１８と各々が弾性導電材料で形成された複数の第２のコンタクト１９とが交互に配されている。即ち、複数の第１のコンタクト１８の夫々が、複数の第１の溝部１４と複数の第２の溝部１５とが形成する複数の相互対向溝部の対のうちの一つ置きのものに配されているとともに、複数の第２のコンタクト１９の夫々が、複数の第１の溝部１４と複数の第２の溝部１５とが形成する複数の相互対向溝部の対のうちの他の一つ置きのものに配されているのである。それにより、ハウジング１１には、複数の第１のコンタクト１８と複数の第２のコンタクト１９とが、ハウジング１１の長手方向に沿って交互に配列配置されていることになる。
【００３１】
このようにして、板状部材差込み部１２が設けられるとともに複数の第１の溝部１４及び複数の第２の溝部１５が長手方向に沿って配列形成されたハウジング１１と、ハウジング１１にその長手方向に沿って交互に配列配置された複数の第１のコンタクト１８及び複数の第２のコンタクト１９と、を備えたコネクタ装置１０は、狭コンタクトピッチ化が図られたものとされていて、ハウジング１１に交互に配列配置された複数の第１のコンタクト１８及び複数の第２のコンタクト１９のピッチは極めて小なるものに選定されている。それに伴い、複数の第１の溝部１４と複数の第２の溝部１５とによって形成されてハウジング１１の長手方向に沿って配列配置される複数の相互対向溝部の対のピッチ、及び、ハウジング１１の長手方向に沿って配列形成された複数の第１の隔壁部１６及び複数の第２の隔壁部１７の夫々のピッチも、極めて小なるものとされている。
【００３２】
さらに、ハウジング１１における背面側端縁部側には、ハウジング１１の長手方向に沿って伸び、その長手方向がハウジング１１の長手方向に一致することになるアクチュエータ２０が、ハウジング１１に対して回動可能に設けられている。このアクチュエータ２０は、図１，図２及び図６に示されるような、ハウジング１１に対して起き上がった状態におかれるものとされる位置を、第１の静止位置としてとることができ、また、後述される図１９，図２３及び図２４に示されるような、ハウジング１１に対して伏した状態におかれるものとされる位置を、第２の静止位置としてとることができて、回動操作されることにより、第１の静止位置から第２の静止位置への移行、あるいは、第２の静止位置から第１の静止位置への移行を行うものとされている。
【００３３】
アクチュエータ２０の一部分は、ハウジング１１における背面側端縁部側において、ハウジング１１の長手方向に沿って交互に配列配置された複数の第１のコンタクト１８及び複数の第２のコンタクト１９の夫々に係合している。そして、配線板状部材が板状部材差込み部１２を通じてハウジング１１に差し込まれたもとで、アクチュエータ２０が回動操作されて第１の静止位置から第２の静止位置へ移行せしめられるとき、アクチュエータ２０の一部分によって、複数の第１のコンタクト１８及び複数の第２のコンタクト１９が、ハウジング１１に差し込まれた配線板状部材の一部に設けられた接触端子部に対する押圧接触状態をとる。また、複数の第１のコンタクト１８及び複数の第２のコンタクト１９が配線板状部材の一部に設けられた接触端子部に対する押圧接触状態をとるもとで、アクチュエータ２０が回動操作されて第２の静止位置から第１の静止位置へ移行せしめられると、複数の第１のコンタクト１８及び複数の第２のコンタクト１９が配線板状部材の一部に設けられた接触端子部に対する押圧接触状態を解除する。
【００３４】
ハウジング１１に配列配置された複数の第１のコンタクト１８の夫々は、図８に示されるように、金属板材等の弾性導電材料で形成された、全体として「エ」字状を成す板状部材とされている。このような「エ」字状とされた第１のコンタクト１８は、固定ビーム部２１と固定ビーム部２１に連結部２２によって連結されて揺動可能とされた可動ビーム部２３とを有している。固定ビーム部２１の一端部は、ハウジング１１の背面側端縁部からその外部に導出されるものとなる接続端子部２１ａを成すものとされており、ハウジング１１が配される配線基板に設けられた配線部に接続される。そして、図8 に明瞭に示されるように、固定ビーム部２１における、連結部２２の近傍となる、連結部２２と接続端子部２１ａとの間にあって連結部２２までの距離が接続端子部２１ａまでの距離より小となる位置には、ハウジング１１の長手方向に沿って突出するものとなる突出部２１ｂが設けられている。また、可動ビーム部２３の一端部は、配線板状部材の一部に設けられた接触端子部に押圧接触する状態をとる接触部２３ａを成すものとされていて、接触部２３ａは固定ビーム部２１の他端部２１ｃに対向して配されており、可動ビーム部２３の他端部２３ｂは、固定ビーム部２１の一端部が成す接続端子部２１ａに対向して配されている。
【００３５】
このようなもとで、可動ビーム部２３は、固定ビーム部２１に対して、接触部２３ａを固定ビーム部２１の他端部２１ｃに近接させるべく、あるいは、接触部２３ａを固定ビーム部２１の他端部２１ｃから離隔させるべく揺動することができる。
【００３６】
また、ハウジング１１に配列配置された複数の第２のコンタクト１９の夫々も、図９に示されるように、金属板材等の弾性導電材料で形成された、全体として「エ」字状を成す板状部材とされている。このような「エ」字状とされた第２のコンタクト１９は、固定ビーム部２５と固定ビーム部２５に連結部２６によって連結されて揺動可能とされた可動ビーム部２７とを有している。固定ビーム部２５の一端部は、ハウジング１１の正面側端縁部からその外部に導出されるものとなる接続端子部２５ａを成すものとされており、ハウジング１１が配される配線基板に設けられた配線部に接続される。そして、図 9に明瞭に示されるように、固定ビーム部２５における、連結部２６の近傍となる、連結部２６と接続端子部２５ａとの間にあって連結部２６までの距離が接続端子部２５ａまでの距離より小となる位置には、ハウジング１１の長手方向に沿って突出するものとなる突出部２５ｂが設けられている。さらに、固定ビーム部２５における連結部２６の位置からは、接続端子部２５ａ側に突出する腕状部２８が伸びている。また、可動ビーム部２７の一端部は、配線板状部材の一部に設けられた接触端子部に押圧接触する状態をとる接触部２７ａを成すものとされていて、接触部２７ａは腕状部２８の先端部２８ａに対向して配されており、可動ビーム部２７の他端部２７ｂは、固定ビーム部２５の他端部２５ｃに対向して配されている。
【００３７】
このようなもとで、可動ビーム部２７は、固定ビーム部２５に対して、接触部２７ａを腕状部２８の先端部２８ａに近接させるべく、あるいは、接触部２７ａを腕状部２８の先端部２８ａから離隔させるべく揺動することができる。
【００３８】
上述のように形成された第１のコンタクト１８は、ハウジング１１における背面側端縁部から正面側端縁部に向かってハウジング１１内に圧入され、図１０及び図１２に示されるように、ハウジング１１に配列形成された複数の第１の溝部１４と複数の第２の溝部１５とが形成する複数の相互対向溝部の対のうちの一つ置きのものに配される。また、上述のように形成された第２のコンタクト１９は、ハウジング１１における正面側端縁部から背面側端縁部に向かってハウジング１１内に圧入され、図１１及び図１３に示されるように、ハウジング１１に配列形成された複数の第１の溝部１４と複数の第２の溝部１５とが形成する複数の相互対向溝部の対のうちの他の一つ置きのものに配される。従って、第１のコンタクト１８と第２のコンタクト１９とは、ハウジング１１に対する圧入方向が互いに逆向きとされることになる。
【００３９】
複数の第１の溝部１４と複数の第２の溝部１５とが形成する複数の相互対向溝部の対のうちの一つ置きのものに配された第１のコンタクト１８は、それにおける固定ビーム部２１が第１の溝部１４内に配されて第１の溝部１４に係合し、また、それにおける可動ビーム部２３が第２の溝部１５内に配されて第２の溝部１５に係合している。そして、相互対向する固定ビーム部２１の他端部２１ｃと可動ビーム部２３における接触部２３ａとが、ハウジング１１内に設けられた板状部材収容部１３における板状部材差込み部１２に臨む位置に配されており、また、固定ビーム部２１における接続端子部２１ａがハウジング１１の背面側端縁部からその外部に導出されている。さらに、相互対向する固定ビーム部２１における接続端子部２１ａの近傍部分と可動ビーム部２３の他端部２３ｂとの間に、アクチュエータ２０の一部分を成すカム部３０が配されている。
【００４０】
また、複数の第１の溝部１４と複数の第２の溝部１５とが形成する複数の相互対向溝部の対のうちの他の一つ置きのものに配された第２のコンタクト１９も、それにおける固定ビーム部２５が第１の溝部１４内に配されて第１の溝部１４に係合し、また、それにおける可動ビーム部２７が第２の溝部１５内に配されて第２の溝部１５に係合している。そして、相互対向する腕状部２８の先端部２８ａと可動ビーム部２７における接触部２７ａとが、ハウジング１１内に設けられた板状部材収容部１３に臨む位置に配されており、また、固定ビーム部２５における接続端子部２５ａがハウジング１１の正面側端縁部から板状部材差込み部１２の外方に導出されている。さらに、相互対向する固定ビーム部２５の他端部２５ｃと可動ビーム部２７の他端部２７ｂとの間に、アクチュエータ２０の一部分を成すカム部３０が配されている。
【００４１】
図２における XIV−XIV 線に沿った断面に現れるハウジングのみを部分的に示す図１４に示されるように、ハウジング１１に、各々が正面側端縁部から背面側端縁部に向かう方向に伸びるものとされてハウジング１１の長手方向に沿って配列形成され、夫々における一対の相互対向外壁面が相互隣接する二つの第１の溝部１４の各々の一部を形成する、複数の第１の隔壁部１６における一つ置きのものの夫々には、当該第１の隔壁部１６をハウジング１１の長手方向に貫通する貫通孔３５が形成されている。また、ハウジング１１における、複数の第１の隔壁部１６における他の一つ置きのもののうちの一番端のものに第１の溝部１４を挟んで対向する部分には、凹部３７が形成されている。さらに、ハウジング１１には、正面側端縁部から背面側端縁部に向かう方向及びハウジング１１の長手方向の夫々に直交する方向（第３の方向）に伸びるものとされてハウジング１１の外部に通じ、その一部が複数の第１の隔壁部１６における一つ置きのものの夫々に形成される貫通孔３５及びハウジング１１に形成される凹部３７の夫々を形成する複数の透孔３６が形成されている。
【００４２】
このように、ハウジング１１にあっては、ハウジング１１の外部に通じる複数の透孔３６が形成されたものとされることにより、複数の第１の隔壁部１６における一つ置きのものの夫々に貫通孔３５をハウジング１１の外部から形成することができるとともに、ハウジング１１における複数の第１の隔壁部１６における他の一つ置きのもののうちの一番端のものに第１の溝部１４を挟んで対向する部分に凹部３７をハウジング１１の外部から形成することができることになる。
【００４３】
このようなもとで、図２における XIV−XIV 線に沿った断面を部分的に示す図１５及び図１５における円形枠Ｄ内を拡大して示す図１６に示されるように、各々の固定ビーム部２１が複数の第１の溝部１４における一つ置きのもの内に配されて当該第１の溝部１４に係合するものとされた複数の第１のコンタクト１８、及び、各々の固定ビーム部２５が第１の溝部１４における他の一つ置きのもの内に配されて当該第１の溝部１４に係合するものとされた複数の第２のコンタクト１９のうちの、相互隣接する第１のコンタクト１８と第２のコンタクト１９とは、第１のコンタクト１８の固定ビーム部２１に設けられた突出部２１ｂと第２のコンタクト１９の固定ビーム部２５に設けられた突出部２５ｂとを相互に逆向きに突出させる状態をもって配されている。そして、相互に逆向きに突出するものとされた対を成す第１のコンタクト１８の固定ビーム部２１に設けられた突出部２１ｂと第２のコンタクト１９の固定ビーム部２５に設けられた突出部２５ｂとが、複数の第１の隔壁部１４における一つ置きのものに形成された貫通孔３５を挟んで相互対向せしめられて当該貫通孔３５に押圧係合するものとされる。なお、複数の第１のコンタクト１８のうちの一番端のものにおける固定ビーム部２１に設けられた突出部２１ｂは、ハウジング１１に設けられた凹部３７に押圧係合する。
【００４４】
このようにして、各々が複数の第１の溝部１４における一つ置きのもの内に配されて当該第１の溝部１４に係合する固定ビーム部２１を有するものとされた複数の第１のコンタクト１８、及び、各々が第１の溝部１４における他の一つ置きのもの内に配されて当該第１の溝部１４に係合する固定ビーム部２５を有するものとされた複数の第２のコンタクト１９のうちの、相互隣接する第１のコンタクト１８と第２のコンタクト１９とに夫々設けられた相互に逆向きに突出する一対の突出部２１ｂと突出部２５ｂとが、ハウジング１１に配列形成された複数の第１の隔壁部１６のうちの一つ置きのものに形成された貫通孔３５を挟んで相互対向せしめられて当該貫通孔３５に押圧係合し、さらに、複数の第１のコンタクト１８のうちの一番端のものにおける固定ビーム部２１に設けられた突出部２１ｂが、ハウジング１１に設けられた凹部３７に押圧係合することにより、複数の第１のコンタクト１８及び複数の第２のコンタクト１９の夫々が複数の第１の溝部１４，複数の第２の溝部１５，複数の第１の隔壁部１６及び複数の第２の隔壁部１７が設けられたハウジング１１に堅固に係止されることになる。
【００４５】
その際、複数の第１の隔壁部１６のうちの一つ置きのものに形成された貫通孔３５を挟んで相互対向せしめられた、相互隣接する第１のコンタクト１８と第２のコンタクト１９とに夫々設けられた相互に逆向きに突出する一対の突出部２１ｂと突出部２５ｂとは、複数の第１の隔壁部１６のうちの一つ置きのものにおける貫通孔３５が形成された部分の一対の相互対向外壁面に、それを挟んで互いに逆方向の二つの押圧力を夫々作用させる。しかしながら、斯かる互いに逆方向の二つの押圧力は、第１の隔壁部１６に対しては互いに相殺されることになり、従って、第１の隔壁部１６が相互隣接する第１のコンタクト１８と第２のコンタクト１９とに夫々設けられた一対の突出部２１ｂと突出部２５ｂから受ける押圧力によって不所望な変形等を生じる事態は生じない。
【００４６】
上述のように構成されるコネクタ装置１０が実用に供される際には、そのハウジング１１が、例えば、電子機器等の配線基板に取り付けられて、複数の第１のコンタクト１８の夫々の固定ビーム部２１における接続端子部２１ａ及び複数の第２のコンタクト１９の夫々の固定ビーム部２５における接続端子部２５ａが、配線基板に設けられた配線端子部に、例えば、半田付けによって接続される。そして、ハウジング１１における正面側端縁部に設けられた板状部材差込み部１２を通じて、例えば、フレキシブル印刷配線基板とされる配線板状部材がハウジング１１に差し込まれる。
【００４７】
斯かる際には、図１７に示されるように、先ず、アクチュエータ２０が第１の静止位置をとる状態におかれたコネクタ装置１０に対して、配線板状部材を成すフレキシブル印刷配線基板４０が対向配置される。フレキシブル印刷配線基板４０には、図１７及び図１７における矩形枠Ｅ内を拡大して示す図１８に示されるように、その一端部において、複数の第１の接触端子部４１と複数の第２の接触端子部４２とが、ハウジング１１に対する板状部材差込み部１２を通じたフレキシブル印刷配線基板４０の差込みまたは抜出し方向に直交する方向において交互に配された状態をもって配列配置されている（以下、複数の第１の接触端子部４１と複数の第２の接触端子部４２とが配列配置されたフレキシブル印刷配線基板４０の一端部を端子端部４３という。）。
【００４８】
フレキシブル印刷配線基板４０の端子端部４３に配列配置された複数の第１の接触端子部４１及び複数の第２の接触端子部４２にあっては、フレキシブル印刷配線基板４０が板状部材差込み部１２を通じてコネクタ装置１０のハウジング１１に差し込まれたとき、複数の第１の接触端子部４１の夫々が、それにコネクタ装置１０が備える複数の第１のコンタクト１８の夫々の可動ビーム部２３における接触部２３ａが押圧接触するものとされ、また、複数の第２の接触端子部４２の夫々が、それにコネクタ装置１０が備える複数の第２のコンタクト１９の夫々の可動ビーム部２７における接触部２７ａが押圧接触するものとされる。そして、フレキシブル印刷配線基板４０の端子端部４３は、コネクタ装置１０のハウジング１１における正面側端縁部に設けられた板状部材差込み部１２に対向する位置におかれる。
【００４９】
続いて、フレキシブル印刷配線基板４０がアクチュエータ２０が第１の静止位置をとる状態におかれたコネクタ装置１０に向けて移動せしめられて、フレキシブル印刷配線基板４０の端子端部４３が、コネクタ装置１０のハウジング１１に設けられた板状部材差込み部１２を通じてハウジング１１に差し込まれて、ハウジング１１の内部に設けられた板状部材収容部１３に収容され、図１９〜図２４に示されるような、フレキシブル印刷配線基板４０がコネクタ装置１０に装着された状態がとられる。このとき、フレキシブル印刷配線基板４０の端子端部４３は、板状部材収容部１３内において、複数の第１のコンタクト１８の夫々における固定ビーム部２１の板状部材差込み部１２側の部分と可動ビーム部２３の板状部材差込み部１２側の部分との間、及び、複数の第２のコンタクト１９の夫々における固定ビーム部２５の板状部材差込み部１２側の部分と可動ビーム部２７の板状部材差込み部１２側の部分との間に配される。その後、第１の静止位置をとる状態におかれていたアクチュエータ２０に回動操作が加えられて、アクチュエータ２０が第１の静止位置をとる状態から図１９，図２３及び図２４に示される第２の静止位置をとる状態へと移行せしめられる。
【００５０】
このようにして、アクチュエータ２０が第１の静止位置をとる状態から第２の静止位置をとる状態へと移行せしめられる際には、アクチュエータ２０の一部を成すカム部３０が、アクチュエータ２０に対する回動操作に伴って、複数の第１のコンタクト１８の夫々における固定ビーム部２１における接続端子部２１ａの近傍部分とそれに対向する可動ビーム部２３の他端部２３ｂとの間、及び、複数の第２のコンタクト１９の夫々における固定ビーム部２５の他端部２５ｃとそれに対向する可動ビーム部２７の他端部２７ｂとの間で回動する。そして、カム部３０は、図２１における XXIII−XXIII 線断面を示す図２３に示されるように、第１のコンタクト１８について、可動ビーム部２３の他端部２３ｂを固定ビーム部２１における接続端子部２１ａの近傍部分から離隔するように変位させ、それにより、可動ビーム部２３における接触部２３ａを、固定ビーム部２１の板状部材差込み部１２側の部分と可動ビーム部２３の板状部材差込み部１２側の部分との間に配されたフレキシブル印刷配線基板４０の端子端部４３における複数の第１の接触端子部４１のうちの対応するものに対する押圧接触状態をとらせるとともに、図２１におけるXXIV−XXIV線断面を示す図２４に示されるように、第２のコンタクト１９について、可動ビーム部２７の他端部２７ｂを固定ビーム部２５における他端部２５ｃから離隔するように変位させ、それにより、可動ビーム部２７における接触部２７ａを、固定ビーム部２５の板状部材差込み部１２側の部分と可動ビーム部２７の板状部材差込み部１２側の部分との間に配されたフレキシブル印刷配線基板４０の端子端部４３における複数の第２の接触端子部４２のうちの対応するものに対する押圧接触状態をとらせる。
【００５１】
その結果、フレキシブル印刷配線基板４０の端子端部４３に配列配置された複数の第１の接触端子部４１及び複数の第２の接触端子部４２が、コネクタ装置１０に備えられた複数の第１のコンタクト１８及び複数の第２のコンタクト１９を夫々通じて、複数の第１のコンタクト１８の夫々の固定ビーム部２１における接続端子部２１ａ及び複数の第２のコンタクト１９の夫々の固定ビーム部２５における接続端子部２５ａが接続された、ハウジング１１が配された配線基板に設けられた配線部に連結された状態におかれる。
【００５２】
その後、第２の静止位置をとる状態におかれていたアクチュエータ２０に回動操作が加えられて、アクチュエータ２０が第２の静止位置をとる状態から図１，図２，図６，図１０及び図１１に示される第１の静止位置をとる状態へと移行せしめられると、アクチュエータ２０におけるカム部３０が、アクチュエータ２０に対する回動操作に伴って、複数の第１のコンタクト１８の夫々における固定ビーム部２１における接続端子部２１ａの近傍部分とそれに対向する可動ビーム部２３の他端部２３ｂとの間、及び、複数の第２のコンタクト１９の夫々における固定ビーム部２５の他端部２５ｃとそれに対向する可動ビーム部２７の他端部２７ｂとの間で回動し、第１のコンタクト１８について、可動ビーム部２３の他端部２３ｂを固定ビーム部２１における接続端子部２１ａの近傍部分に向かって変位させ、それにより、可動ビーム部２３における接触部２３ａを、フレキシブル印刷配線基板４０の端子端部４３における複数の第１の接触端子部４１のうちの対応するものに対する押圧接触状態から解放するとともに、第２のコンタクト１９について、可動ビーム部２７の他端部２７ｂを固定ビーム部２５における他端部２５ｃに向かって変位させ、それにより、可動ビーム部２７における接触部２７ａを、フレキシブル印刷配線基板４０の端子端部４３における複数の第２の接触端子部４２のうちの対応するものに対する押圧接触状態から解放する。
【００５３】
その結果、フレキシブル印刷配線基板４０が、それをコネクタ装置１０のハウジング１１から抜き出すことができる状態におかれる。
【００５４】
上述の本願発明に係るコネクタ装置の一例を成すコネクタ装置１０においては、複数の第１のコンタクト１８及び複数の第２のコンタクト１９が、ハウジング１１に配列形成された複数の第１の溝部１４と複数の第２の溝部１５とが形成する複数の相互対向溝部の対に夫々係合したものとされて交互に配列配置されたもとで、複数の第１のコンタクト１８及び複数の第２のコンタクト１９のうちの相互隣接する第１のコンタクト１８及び第２のコンタクト１９が、第１のコンタクト１８の固定ビーム部２１に設けられた突出部２１ｂ及び第２のコンタクト１９の固定ビーム部２５に設けられた突出部２５ｂを相互に逆向きに突出させる状態をもって配されていて、相互に逆向きに突出するものとされた突出部２１ｂ及び突出部２５ｂが、ハウジング１１における各々が複数の第１の溝部１４のうちの相互隣接する二つに挟まれたものとされる複数の第１の隔壁部１６のうちの一つ置きのものに形成された貫通孔３５を挟んで相互対向せしめられて、当該貫通孔３５に押圧係合するものとされ、それにより、複数の第１のコンタクト１８及び複数の第２のコンタクト１９の夫々が複数の第１の溝部１４，複数の第２の溝部１５，複数の第１の隔壁部１６及び複数の第２の隔壁部１７が設けられたハウジング１１に堅固に係止される。
【００５５】
その際、複数の第１のコンタクト１８及び複数の第２のコンタクト１９のうちの相互隣接する第１のコンタクト１８及び第２のコンタクト１９における相互に逆向きに突出するものとされた突出部２１ｂ及び突出部２５ｂが、複数の第１の隔壁部１６のうちの一つ置きのものにおける貫通孔３５が形成された部分の一対の相互対向外面に、それを挟んで互いに逆方向の二つの押圧力を夫々作用させるが、斯かる互いに逆方向の二つの押圧力は、第１の隔壁部１６に対しては互いに相殺されることになるので、第１の隔壁部１６が第１のコンタクト１８及び第２のコンタクト１９に夫々設けられた突出部２１ｂ及び突出部２５ｂから受ける押圧力によって不所望な変形等を生じることはない。斯かる状況は、コネクタ装置１０が、狭コンタクトピッチ化が図られたものとされていて、ハウジング１１に交互に配列配置された複数の第１のコンタクト１８及び複数の第２のコンタクト１９のピッチは極めて小なるものに選定されており、それに伴って、複数の第１の溝部１４と複数の第２の溝部１５とによって形成されてハウジング１１の長手方向に沿って配列配置される複数の相互対向溝部の対のピッチ、及び、ハウジング１１の長手方向に沿って配列形成された複数の第１の隔壁部１６及び複数の第２の隔壁部１７の夫々のピッチも、極めて小なるものとされたもとで得られている。
【００５６】
従って、コネクタ装置１０によれば、複数の第１の溝部１４と複数の第２の溝部１５とによって形成されてハウジング１１の長手方向に沿って配列配置される複数の相互対向溝部の対に夫々係合したものとされて交互に配列配置される複数の第１のコンタクト１８及び複数の第２のコンタクト１９についての狭コンタクトピッチ化が図られたもとにおいても、比較的簡単な構成をもって、ハウジング１１に不所望な全体的な反りや部分的な変形をもたらすことなく、複数の第１のコンタクト１８及び複数の第２のコンタクト１９の各々をハウジング１１に対して堅固に係止されたものとすることができることになる。
【産業上の利用可能性】
【００５７】
以上のような本願発明に係るコネクタ装置は、例えば、フレキシブル印刷配線基板等とされる配線板状部材を受け入れる板状部材差込み部が設けられたハウジングと、ハウジングに配列形成された複数の溝部に夫々配されて配列配置され、板状部材差込み部を通じてハウジングに差し込まれた配線板状部材における複数の接触端子部に夫々対応することになる位置をとる複数のコンタクトと、を備えたコネクタ装置であって、狭コンタクトピッチ化が図られたもとにおいても、比較的簡単な構成をもって、ハウジングに不所望な全体的な反りや部分的な変形をもたらすことなく、複数のコンタクトの各々をハウジングに対して堅固に係止されたものとすることができるものとして、様々な電子機器等に広く適用され得るものである。
【符号の説明】
【００５８】
１０・・・コネクタ装置，  １１・・・ハウジング，  １２・・・板状部材差込み部，  １３・・・板状部材収容部，  １４・・・第１の溝部，  １５・・・第２の溝部，  １６・・・第１の隔壁部，  １７・・・第２の隔壁部，  １８・・・第１のコンタクト，  １９・・・第２のコンタクト，  ２０・・・アクチュエータ，  ２１，２５・・・固定ビーム部，  ２１ａ，２５ａ・・・接続端子部，  ２１ｂ，２５ｂ・・・突出部，  ２２，２６・・・連結部，  ２３，２７・・・可動ビーム部，  ２３ａ，２７ａ・・・接触部，  ２８・・・腕状部，  ３０・・・カム部，  ３５・・・貫通孔，  ３６・・・透孔，  ３７・・・凹部，  ４０・・・フレキシブル印刷配線基板，  ４１・・・第１の接触端子部，  ４２・・・第２の接触端子部，  ４３・・・端子端部
【図１】
0006439930.tif 000002
【図２】
0006439930.tif 000003
【図３】
0006439930.tif 000004
【図４】
0006439930.tif 000005
【図５】
0006439930.tif 000006
【図６】
0006439930.tif 000007
【図７】
0006439930.tif 000008
【図８】
0006439930.tif 000009
【図９】
0006439930.tif 000010
【図１０】
0006439930.tif 000011
【図１１】
0006439930.tif 000012
【図１２】
0006439930.tif 000013
【図１３】
0006439930.tif 000014
【図１４】
0006439930.tif 000015
【図１５】
0006439930.tif 000016
【図１６】
0006439930.tif 000017
【図１７】
0006439930.tif 000018
【図１８】
0006439930.tif 000019
【図１９】
0006439930.tif 000020
【図２０】
0006439930.tif 000021
【図２１】
0006439930.tif 000022
【図２２】
0006439930.tif 000023
【図２３】
0006439930.tif 000024
【図２４】
0006439930.tif 000025